(57)【要約】      （修正有）【課題】カーテンウォールにおいて、その窓機能を損なうことなく、外面に広告表示などの文字や画像、映像などを表示することを可能とするカーテンウォールパネルユニットおよびそれを用いたカーテンウォールを提供する。【解決手段】パネル材の辺部に枠体が装着された複数枚のパネルユニットが、左右方向及び上下方向に連設されてなるカーテンウォールにおいて、パネルユニットは、室外側ガラス板と室内側ガラス板の２枚の複層構造ガラスパネルと、２枚のガラス板の間に、ＬＥＤアクリル導光板とハーフミラー層が設けられ、導光板の端部よりＬＥＤ光を入光させて導光板面を発光させるためのＬＥＤバーモジュールが設けられている。【選択図】図１
2016148233.tif 000002
【特許請求の範囲】
【請求項１】
パネル材の辺部に枠体が装着された複数枚のパネルユニットが、左右方向及び上下方向に連設されてなるカーテンウォールにおいて、
該パネルユニットは、室外側ガラス板と室内側ガラス板の２枚の複層構造ガラスパネルと、該２枚のガラス板の間に、ＬＥＤアクリル導光板とハーフミラー層が設けられ、該導光板の端部よりＬＥＤ光を入光させて導光板面を発光させるためのＬＥＤバーモジュールが設けられていることを特徴とするカーテンウォールパネルユニット。
【請求項２】
パネル材の辺部に枠体が装着された複数枚のパネルユニットが、左右方向及び上下方向に連設されてなるカーテンウォールにおいて、
該パネル材がガラス製であり、該ガラスパネル材の内側に、ＬＥＤアクリル導光板を取付け、その室内側にハーフミラー層を設け、さらにその室内側にガラス製の板体を取付け、積層構造のパネルユニットを構成することを特徴とするカーテンウォールパネルユニット。
【請求項３】
前記のハーフミラー層が室内側ガラス板とＬＥＤアクリル導光板の間に設けられていることを特徴とする請求項１又は請求項２に記載のカーテンウォールパネルユニット。
【請求項４】
前記の２枚の複層構造ガラスパネルの間に設けるＬＥＤアクリル導光板とハーフミラー層において、２枚のガラス板の間にＬＥＤアクリル導光板とハーフミラー層による複層構造がセットで上下方向、および又は、左右方向に、複数連接して設けられることを特徴とする請求項１から３までのいずれか一項に記載のカーテンウォールパネルユニット。
【請求項５】
前記のＬＥＤバーモジュールにおいて、該モジュールの枠体の少なくとも、室外側部材が透光性部材で構成されており、該バーモジュールのＬＥＤの発光により、ＬＥＤアクリル導光板の発光とともに該モジュール枠体の室外側も発光することを特徴とする請求項１から請求項４までのいずれか１項に記載のカーテンウォールパネルユニット。
【請求項６】
前記のパネルユニットにＬＥＤバーモジュールの制御信号の送受信装置が設けられており、無線制御により、複数のＬＥＤバーモジュールの発光制御ができることを特徴とする請求項１から請求項５までの何れか１項に記載のカーテンウォールパネルユニット。
【請求項７】
前記のパネルユニットにＬＥＤバーモジュールへの電源供給ユニットが設けられており、該ユニットは、隣接するパネルユニットと接合することにより、電源供給させることを特徴とする請求項１から請求項６までの何れか１項に記載のカーテンウォールパネルユニット。
【請求項８】
前記の請求項１から請求項７までのいずれかの項に記載のカーテンウォールパネルユニットを用いたことを特徴とするカーテンウォール。
【発明の詳細な説明】
【技術分野】
【０００１】  本発明は、マジックミラー機能を有するＬＥＤ導光板を用いた発光機能を有するカーテンウォールパネルユニットおよびそれを用いたカーテンウォールに関する。
【背景技術】
【０００２】  カーテンウォールは、建物の壁面に、複数枚のパネルユニットを左右方向、及び、又は上下方向に連設することによって構成される。また、前記パネルユニットは、矩形状のガラスパネルの辺部に枠体を、シール材やバッカー等を介して組み付けることにより構成される。【０００３】  カーテンウォールの建造物は、大型の商用ビルなどに多数利用されており、近年、そのカーテンウォールの外面に広告表示などとして、文字や画像、映像などを表示させるものが出てきている。【０００４】  本出願人らは、マジックミラー機能を有するＬＥＤ導光板を用いた面状の発光ユニット（特許第５２８８５０７号）による窓構造体を開発した（特願２０１３−３６３３０、特願２０１３−３６３３０）。【０００５】  この窓構造体は、内側にハーフミラー層が設けられた透光性を有する面状発光体と、該面状発光体の内側と外側にガラス製の板体が設けられていることを特徴とする窓構造体であり、夜間において、室外からの覗き見防止を実現するものである。【０００６】  また、カーテンウォールの建築物の外周壁の一部に大画面ＬＥＤ表示装置を組み込む技術が開示されている。（特許第４３３２３４２号）【０００７】  これは、カーテンウォール建築物において、外周壁の一部として大画面ＬＥＤ表示装置を組み込むものであり、防水性がある矩形のタイル状部品のおもて面に多数のＬＥＤランプが行列配置され、ＬＥＤランプの駆動制御回路が内蔵されたＬＥＤパネルとし、このＬＥＤパネルを隙間なく連接して外壁の一部となるものである。【０００８】  また、カーテンウォールの表示パネル自体がパネル前後の視界を遮断しないように工夫した構造で、しかも大画面を容易に実現できる透視型表示パネルが開示されている。（特許第３７５６６１５号）【０００９】  これは幅の小さい桟がその幅よりも充分に大きな間隔をあけて縦横に組み合わされて透視可能な格子が構成され、その格子の各交点部分に前記透視性能を損なわない程度の外形寸法のランプがその光軸を前記格子面とほぼ直交する方向に向けて配設され、各ランプを個別に発光駆動するための制御駆動回路系の電気配線が前記桟を通して分配されているものである。【００１０】  また、巨大なカーテンウォール超高層ビルを想定し、たとえば大きな川や入り江、あるいは鉄道や高速道路を挟んで遠くからビルを眺めるという環境下において、ビル壁面を巨大画面ディスプレイとして機能させることができ、かつ、カーテンウォールのパネル材には基本的に手を加えることがなく、パネル材を取り付けるための棒材（サッシ）に工夫をすることで、容易に実施することができる「カーテンウォール超高層ビルの壁面ディスプレイ装置」が開示されている。（特許４４３９９０１号）【００１１】  これは、構造躯体のスラブや梁に固定された支持機構に多数のパネル材を連接して固定することで外周壁が構成され、パネル材の端縁を固定する多数の棒材が外周壁面に平行に配列されているカーテンウォール超高層ビルにおいて、各棒材に多数の多色ランプユニットが取り付けられ、これら多色ランプユニットが外周壁面にほぼ均一な分布で配列され、多色ランプユニットは棒材に沿った配線を含んで表示駆動システムに電気的に接続され、���示駆動システムは各多色ランプユニットの発光色と輝度を個別に制御するものである。
【先行技術文献】
【特許文献】
【００１２】
【特許文献１】特許第５２８８５０７号公報
【特許文献２】特願２０１２−１９２８２１号公報
【特許文献３】特願２０１３−３６３３０号公報
【特許文献４】特許第４３３２３４２号公報
【特許文献５】特許第３７５６６１５号公報
【特許文献６】特許第４４３９９０１号公報
【発明の概要】
【発明が解決しようとする課題】
【００１３】  上記のカーテンウォールの壁面にＬＥＤによる表示装置が組み込まれたもの（特許第４３３２３４２号公報、特許第３７５６６１５号公報、特許第４４３９９０１号公報）は、ＬＥＤ集合ランプにより画像や映像を表示できるのもである。【００１４】  近年のカーテンウォールは、ガラス製のカーテンウォールが広く普及している。このガラス製のカーテンウォールに上記のＬＥＤによる表示装置を組み込んだ場合には、たとえば、［特許文献４］特許第４３３２３４２号公報では、窓機能は失われてしまう。【００１５】  また、［特許文献５］特許第３７５６６１５号公報の場合には、格子状の枠の格子点にＬＥＤ集合ランプを設け、格子の隙間から外部が見えることでかろうじて窓機能を保持しようとするするものであり、格子の間隔は１００ｍｍであり、窓機能として非常に不十分なもの言わざるを得ない。【００１６】  また、［特許文献６］特許第４４３９９０１号公報の場合には、カーテンウォールの外面の縦桟にランプバーを取り付けるものであり、ここでは縦桟の間隔は１．８ｍであり、窓機能としては十分である、しかしながら、１．８ｍ間隔に設けられたランプバーでは、表示画像の解像度は大きく低下せざるを得ない。ビルの装飾用のイルミネーションとしては有効であるが画像や映像には適さない。【００１７】  本発明は、上記の問題に鑑みてなされたものであり、カーテンウォールにおいて、その窓機能を損なうことなく、外面に広告表示などの文字や画像、映像などを表示することを可能とするカーテンウォールパネルユニットおよびそれを用いたカーテンウォールを実現することを課題とする。
【課題を解決するための手段】
【００１８】  本発明の請求項１は、パネル材の辺部に枠体が装着された複数枚のパネルユニットが、左右方向及び上下方向に連設されてなるカーテンウォールにおいて、
該パネルユニットは、室外側ガラス板と室内側ガラス板の２枚の複層構造ガラスパネルと、該２枚のガラス板の間に、ＬＥＤアクリル導光板とハーフミラー層が設けられ、該導光板の端部よりＬＥＤ光を入光させて導光板面を発光させるためのＬＥＤバーモジュールが設けられていることをを特徴とするカーテンウォールパネルユニットである。【００１９】  該パネルユニットは、マジックミラー機能を有するＬＥＤ導光板を用いた面状発光ユニットによる窓構造をカーテンウォールに組み込んだものであり、基本的な発光技術は、すでに出願人が出願済の特許である、特許第５２８８５０７号公報に記載されているマジックミラーユニット及び特願２０１２−１９２８２１号公報に記載の窓構造ユニット及び特願２０１３−３６３３０号公報に記載の窓構造体の技術が用いられる。【００２０】  すなわち、内部側にハーフミラー層が設けられた透光性を有するＬＥＤアクリル導光板による面状発光体と、その室内側と室外側にガラス製の板体が設けられており、該面状発光体が、透光性アクリル樹脂板と、該アクリル樹脂板の端面に設けられたＬＥＤバーモジュールと、該透光性アクリル樹脂板の表面に設けられた光拡散層とからなり、該ＬＥＤバーモジュールのＬＥＤ光が該アクリル樹脂板の端面から入光し、該ハーフミラー層で反射し、該光拡散層で拡散することにより、面状発光体の表面が発光するものである。【００２１】  該面状発光体は、ハーフミラー層が設けられたＬＥＤアクリル導光板であり、アクリル樹脂製板の片面に光拡散ドット（白色インク、銀色インクなど）が印刷されたものであり、アクリル樹脂板の端面からＬＥＤバーモジュールのＬＥＤ素子により光を入光させ、ハーフミラー層で前面に反射され、光拡散ドットで散乱させる面状の発光体である。【００２２】  該ハーフミラー層は、マジックミラー機能を有するフィルムや内側のガラス板に金属薄膜層を設けたものでも良い。ハーフミラーフィルムなどを室内側ガラスの室内側に貼付したものでも良く、室内側ガラス板としてハーフミラーガラスを用いても良い。【００２３】  これらのパネルユニットを左右方向及び上下方向に複数枚連設し、カーテンウォールを構成する。【００２４】  また、カーテンウォールのパネル材は、ガラス製が良く、単板でも複層ガラスでも良い。また、ダブルスキン構造のカーテンウォールの室外側パネルの質内側、又は室内側パネルの室外側に前記の面状発光体となるＬＥＤアクリル導光板とハーフミラー層及び室内側ガラス板を取り付けても良い。【００２５】  本発明の請求項２は、パネル材の辺部に枠体が装着された複数枚のパネルユニットが、左右方向及び上下方向に連設されてなるカーテンウォールにおいて、
該パネル材がガラス製であり、該ガラスパネル材の内側に、ＬＥＤ導光板を取付け、その室内側にハーフミラー層を設け、さらにその室内側にガラス製の板体を取付け、積層構造のパネルユニットを構成することを特徴とするカーテンウォールパネルユニットである。【００２６】  既存のカーテンウォールのガラス面の内側に、後付で前記の面状発光体となるＬＥＤアクリル導光板とハーフミラー層と、室内側ガラス板を取り付けても良い。【００２７】  また、カーテンウォールのパネル材は、ガラス製が良く、単板でも複層ガラスでも良い。また、ダブルスキン構造のカーテンウォールの室外側パネルの質内側、又は室内側パネルの室外側に前記の面状発光体となるＬＥＤアクリル導光板とハーフミラー層及び室内側ガラス板を取り付けても良い。【００２８】  本発明の請求項３は、前記のハーフミラー層が室内側ガラス板とＬＥＤアクリル導光板の間に設けられていることを特徴とする請求項１又は請求項２に記載のカーテンウォールパネルユニットである。【００２９】  本発明の請求項４は、前記の２枚の複層構造ガラスパネルの間に設けるＬＥＤアクリル導光板とハーフミラー層において、２枚のガラス板の間にＬＥＤアクリル導光板とハーフミラー層による複層構造がセットで上下方向、および又は、左右方向に、複数連接して設けられることを特徴とする請求項１から３までのいずれか一項に記載のカーテンウォールパネルユニットである。【００３０】  該セットとなるＬＥＤアクリル導光板とハーフミラー層による複層構造において、ＬＥＤバーモジュールを該導光板の上部端面、右部端面、左部端面のいずれの側の端面に設けても良く、２本のＬＥＤバーモジュールを背中合わせに取り付けても良い。【００３１】  本発明の請求項５は、前記のＬＥＤバーモジュールにおいて、該モジュールの枠体の少なくとも、室外側部材が透光性部材で構成されており、該バーモジュールのＬＥＤの発光により、ＬＥＤアクリル導光板の発光とともに該モジュール枠体の室外側も発光することを特徴とする請求項１から請求項４までのいずれか１項に記載のカーテンウォールパネルユニットである。【００３２】  該透光性部材は、ＬＥＤ光を透光するものであればいずれでも良く、たとえば、アクリル等の透明樹脂や透明ガラスなどでも良い。【００３３】  本発明の請求項６は、前記のパネルユニットにＬＥＤバーモジュールの制御信号の送受信装置が設けられており、無線制御により、複数のＬＥＤバーモジュールの発光制御ができることを特徴とする請求項１から請求項５までの何れか１項に記載のカーテンウォールパネルユニットである。【００３４】  該送受信装置は、ＬＥＤバーモジュールの制御信号を無線で送受信できるものであればいずれでも良く、ビルの各フロア単位で一括して無線制御できるものであれば良い。【００３５】  本発明の請求項７は、前記のパネルユニットにＬＥＤバーモジュールへの電源供給ユニットが設けられており、該ユニットは、隣接するパネルユニットと接合することにより、電源供給させることを特徴とする請求項１から請求項６までの何れか１項に記載のカーテンウォールパネルユニットである。【００３６】  該電源供給ユニットは、該パネルユニットを連接するこ��により、電源を供給できるものであればいずれの接続方法でも良く、パネルユニット毎に雄雌接点を設けたものでも良く、電磁誘導で電源を供給するものでも良い。パネルユニット毎に別々に電源コード線を設ける必要をなくするものである。【００３７】  本発明の請求項８は、前記の請求項１から請求項７までのいずれかの項に記載のカーテンウォールパネルユニットを用いたことを特徴とするカーテンウォールである。【００３８】  上記のカーテンウォールパネルユニットを設けることにより、カーテンウォールが窓機能を損なわずに、ＬＥＤによる面状発光体として機能させることができる。【００３９】  また、各カーテンウォールパネルユニットを１画素としてドットマトリックス式のディスプレイ画面として機能させることにより、画像や映像を表現することできる。【００４０】  この方式によれば、テレビ画像や映画映像を表現することが可能であり、大型ビルの壁面を大型テレビ画面や映画の画面として使用することも可能となる。
【発明の効果】
【００４１】  本発明によれば、以下の効果を奏する。
１）窓機能を損なわずに、カーテンウォールの外面を発光させて、光によるイルミネーションを実現できる。【００４２】２）窓機能を損なわずに、カーテンウォールの外面を発光させて、ＬＥＤ光による広告宣伝に使用できる。【００４３】３）文字や画像、映像をＬＥＤ発光表示できるカーテンウォールを実現できる。【００４４】４）テレビ画面を表示できる、カーテンウォールを実現できる。【００４５】５）映画の映像を表示できるカーテンウォールを実現できる。【００４６】６）大型ビルの壁面全面を用いた宣伝広告が実現できる。【００４７】７）ビルの壁面全面を用いた広告収入を得られる新たなビジネスを実現できる。【００４８】８）緊急時、災害時などの緊急報道、警告発表、避難情報などに使用できる。
【図面の簡単な説明】
【００４９】
【図１】本発明によるカーテンウォールを用いた商用ビルの宣伝広告の実施例を示す図である。
【図２】本発明によるカーテンウォールを用いたホテルの壁面を用いた映画映像の実施例を示す図である。
【発明を実施するための形態】
【００５０】  本発明によるカーテンウォールパネルユニット及びそのカーテンウォールの実施の一形態を、図１、図２に基づいて説明する。
【００５１】  図１は、本発明によるカーテンウォールを用いた商用ビルの宣伝広告の実施例を示す図である。
【００５２】  本図は、大型の商用ビルの全面の壁面全面に本発明のカーテンウォールパネルユニットを用いたカーテンウォールを実施した例を示す概略図である。
【００５３】  （１）は昼間の外観を示す例であり、ビルの全壁面がハーフミラーの効果により、鏡面となっている。内部からは外部が見通せ、外部からは鏡面となり、内部は見えない。窓機能はそのままである。
【００５４】  （２）は、夜間の外観を示す例であり、ビルの前面はＬＥＤによる発光により、文字および図形、画像が表現されている。これは、カーテンウォールパネルユニット一つ一つをカラー（２５６色）発光できることにより、一つのカーテンウォールパネルユニットを１画素として、横の５００画素、縦に８００画素としてドットマトリックス方式でＬＥＤ導光板を発光制御し、文字や図形、画像を表現したものである。
【００５５】  図２は、本発明によるカーテンウォールを用いたホテルの壁面を用いた映画映像の実施例を示す図である。
【００５６】  本図は、リゾートホテルの壁面のカーテンウォール１を映画の映写画面としたものである。
【００５７】  映写面のサイズは、幅１００ｍ、高さ４０ｍである。カーテンウォールパネルユニット一つ一つをカラー（２５６色）発光できることにより、一つのカーテンウォールパネルユニットを１画素として、横の１０００画素、縦に４００画素としてドットマトリックス方式でＬＥＤ導光板を発光制御し、映画の映像を表現したものである。
【００５８】  ホテルのカーテンウォールとしては、昼間は通常のミラーガラスとなるので、内部から外部は見通せ、外部からは鏡面となり、見通すことができない。夜間は、図２のように、映画の画面として使用できる。
【００５９】  観客席２は、映像画面より１００ｍ離れた場所に設けられているため、映画の映像は鮮明に見える。また、音声は、観客席に設けられたヘッドフォンにより視聴する。
【００６０】  観客席からは、大迫力の映画の画面を堪能できるとともに、ヘッドフォンによる迫力音声を堪能できる。また、振動を体感できる椅子を設けてるとさらに迫力満点の映画鑑賞となる。
【００６１】  また、観客数は１０００名程度動員可能であり、近年のリゾートホテル開発における目玉商品として、その普及が期待できるものである。
【符号の説明】
【００６３】  １  カーテンウォール（映画の画面）
２  観客席
【図１】
2016148233.tif 000003
【図２】
2016148233.tif 000004